(57)【特許請求の範囲】
【請求項１】
スプールから繰り出された釣り糸に係止された仕掛けの位置を示す第１水深データと、魚群探知機から送信される釣り場の底位置を示す第２水深データとを表示可能な釣り情報表示装置であって、
前記第１水深データを出力可能な釣り用リールと別に設けられたケースと、
前記ケースに設けられ、前記第１水深データを受け付ける第１受付手段と、
前記ケースに設けられ、前記第２水深データを受け付ける第２受付手段と、
前記ケースに外部から視認可能に設けられた表示部と、
前記ケースに設けられ、前記受け付けられた前記第１及び第２水深データを前記表示部の水深に応じた位置に図形表示させる水深データ表示手段と、を備え、
前記魚群探知機は魚が群れている魚群の棚位置を示す第３水深データを出力可能であり、
前記第２受付手段は、出力された前記第３水深データを受け付け、
前記水深データ表示手段は、前記第１及び第２水深データに加えて前記第３水深データを前記表示部の水深に応じた位置に図形表示させ、
前記水深データ表示手段は、前記第１、第２及び第３水深データを前記表示部に時系列的に図形表示するとともに、前記第２及び第３水深データを、エコーデータの画像で図形表示し、
前記水深データ表示手段は、前記第１水深データの時系列的な変化の軌跡を前記表示部の前記水深に応じた位置に図形表示する、釣り情報表示装置。
【請求項２】
前記水深データ表示手段は、前記第１及び／又は第２水深データを前記表示部に数値表示させる、請求項１に記載の釣り情報表示装置。
【請求項３】
補正開始信号を出力可能な補正開始手段と、
前記補正開始手段が前記補正開始信号を出力したときに前記第１及び第２受付手段で受け付けた前記第１水深データ及び前記第２水深データをもとにして、前記第１水深データを補正して補正第１水深データを得る水深データ補正手段とをさらに備え、
前記水深データ表示手段は、前記第１受付手段で受け付けた第１水深データを前記表示部に表示させるとともに、前記水深データ補正手段により前記第１水深データが補正されると、前記補正第１水深データを前記表示部に表示させる、請求項１又は２に記載の釣り情報表示装置。
【発明の詳細な説明】
【技術分野】
【０００１】
本発明は、釣り情報表示装置、特に、スプールから繰り出された釣り糸に係止された仕掛けの第１水深データと、魚群探知機からの釣り場の底位置を示す第２水深データと、魚が群れている棚位置を示す第３水深情報とを表示可能な釣り情報表示装置に関する。
【背景技術】
【０００２】
釣り用リールにおいて、リール本体にカウンターと呼ばれるたとえば液晶ディスプレイを用いた水深表示装置を設けたものが知られている。この種の水深表示装置に魚群探知機から受信した釣り場の底位置データ（第２水深データの一例）を表示可能なものが知られている（特許文献１参照）。このような釣り用リールでは、たとえば、スプールの回転数に依存する糸長データにより仕掛けの位置データ（第１水深データの一例）を算出し、それと底位置とを表示するとともに、底から棚取りする場合の底からの棚位置を表示している。
【０００３】
このような従来の釣り用リールでは、魚群探知機からの底位置データにより棚取りして釣り糸の繰り出しを停止している。このため、底状況に応じ棚取りや底取りを行うことができる。
【特許文献１】特開２００３−２７４８２３号公報
【発明の開示】
【発明が解決しようとする課題】
【０００４】
前記従来の構成では、魚群探知機からの底位置データを水深表示装置に数値で表示しているので、正確な底位置を把握できる。しかし、仕掛けの位置データや底位置データが数値表示されているだけであるので、それらの位置関係を瞬時に把握しにくい。しかも、魚群がいる棚位置は、リールの棚メモスイッチを操作して設定された棚位置であるため、棚位置が時々刻々と変化すると、棚位置に正確に把握できないおそれがある。
【０００５】
本発明の課題は、仕掛けの位置と底位置との位置関係を直感的に把握できるようにすることにある。
【０００６】
本発明の別の課題は、棚位置が時々刻々変化しても棚位置を正確に把握できるようにすることにある。
【課題を解決するための手段】
【０００７】
発明１に釣り情報表示装置は、スプールから繰り出された釣り糸に係止された仕掛けの位置を示す第１水深データと、魚群探知機から送信される釣り場の底位置を示す第２水深データとを表示可能な装置であって、第１水深データを出力可能な釣り用リールと別に設けられたケースと、第１受付手段と、第２受付手段と、表示部と、水深データ表示手段とを備えている。第１受付手段は、ケースに設けられ、第１水深データを受け付ける手段である。第２受付手段は、ケースに設けられ、第２水深データを受け付ける手段である。表示部は、ケースに外部から視認可能に設けられたものである。水深データ表示手段は、ケースに設けられ、受け付けられた第１及び第２水深データを表示部の水深に応じた位置に図形表示させる手段である。魚群探知機は魚が群れている魚群の棚位置を示す第３水深データを出力可能であり、第２受付手段は、出力された第３水深データを受け付け、水深データ表示手段は、第１及び第２水深データに加えて第３水深データを表示部の水深に応じた位置に図形表示させ、水深データ表示手段は、第１、第２及び第３水深データを表示部に時系列的に図形表示するとともに第２及び第３水深データをエコーデータの画像で図形表示する。水深データ表示手段は、第１水深データの時系列的な変化の軌跡を表示部の前記水深に応じた位置に図形表示し、第１水深データの軌跡の図形表示をオンオフ可能である。
【０００８】
この釣り情報表示装置では、仕掛けの位置を示す第１水深データを受け付けるとともに、魚群探知機から釣り場の底位置を示す第２情報を受け付けると、それらが、表示部の水深に応じた位置に重ねて図形表示される。ここでは、仕掛けの位置を示す第１水深データや底位置を示す第２水深データが数値ではなく図形で水深に応じた位置に表示されるので、仕掛けの位置と底の位置との位置関係を瞬時に把握できるようになる。
【０００９】
また、魚群探知機から出力された棚位置を示す第３水深データも第１及び第２水深データとともに水深に応じた位置に表示されるので、棚位置が時々刻々と変化しても棚位置を正確に把握できるとともに、仕掛けと棚位置との関係が図形表示されているので、仕掛けが正確に棚位置に配置されているかが一目瞭然となる。さらに、仕掛けの位置、底位置及び棚位置が時系列的に表示されるので、それらの変化を容易に認識できる。さらにまた、釣り用リールと別に水深データを表示できるので、表示面積の制限が緩和されより広い面積の表示部を使用できる。このため、釣り用リールから別に置いても表示される水深データを視認しやすくなる。
【００１０】
発明２に係る釣り情報表示装置は、発明１に記載の装置において、水深データ表示手段は、第１及び／又は第２水深データを表示部に数値表示させる。この場合には、図形に加えて数値も表示されるので、仕掛けの位置や底の位置をより把握しやすくなる。
【００１１】
発明３に係る釣り情報表示装置は、発明１又は２に記載の装置において、補正開始信号を出力可能な補正開始手段と、補正開始手段が補正開始信号を出力したときに第１及び第２受付手段で受け付けた第１水深データ及び第２水深データをもとにして、第１水深データを補正して補正第１水深データを得る水深データ補正手段とをさらに備え、水深データ表示手段は、第１受付手段で受け付けた第１水深データを表示部に表示させるとともに、水深データ補正手段により第１水深データが補正されると、補正第１水深データを表示部に表示させる。この場合には、潮流などの影響によりスプールの糸繰り出し量が実際の仕掛けの水深より多くなっても、比較的正確な水深が得られる第２水深データにより第１水深データを補正できるので、より正確な仕掛けの水深を得ることができる。
【発明の効果】
【００１２】
本発明によれば、仕掛けの位置     を示す第１水深データや底位置を示す第２水深データが数値ではなく図形で水深に応じた位置に表示されるので、仕掛けの位置と底の位置との位置関係を瞬時に把握できるようになる。また、魚群探知機から出力された棚位置を示す第３水深データも第１及び第２水深データとともに水深に応じた位置に表示されるので、棚位置が時々刻々と変化しても棚位置を正確に把握できるとともに、仕掛けと棚位置との関係が図形表示されているので、仕掛けが正確に棚位置に配置されているかが一目瞭然となる。さらに、仕掛けの位置、底位置及び棚位置が時系列的に表示されるので、それらの変化を容易に認識できる。さらにまた、釣り用リールと別に水深データを表示できるので、表示面積の制限が緩和されより広い面積の表示部を使用できる。このため、釣り用リールから別に置いても表示される水深データを視認しやすくなる。
【発明を実施するための最良の形態】
【００１３】
本発明の一実施形態が採用された釣り情報表示システムは、図１に示すように、電動リール１０と、電動リール１０と送受信可能に配置された魚探モニタ（釣り情報表示装置の一例）６０と、魚群探知機（情報集約装置の一例）８０とを備えている。
【００１４】
電動リール１０と魚探モニタ６０とは有線により接続されている。具体的には、図２に示すように、電源としてのバッテリ１２から２またに分岐して電動リール１０と魚探モニタ６０とに電力を供給する電源コード１３に挿入された通信線により電動リール１０と魚探モニタ６０との間でデータが送受信される。通信線は、電源コード１３の分岐部分を通って電動リール１０と魚探モニタ６０とを接続している。また、モニタ６０は、魚群探知機８０から、たとえば、特定小電力方式の無線通信により情報を受信する。なお、魚探モニタ６０は、複数の魚群探知機８０が周囲にあるとき、混信を防止するため、最も強い電波だけを受信するようになっている。
【００１５】
電動リール１０は、たとえば竿受けＲＫにより釣り船の船縁ＦＢに装着された釣り竿Ｒに固定されている。電動リール１０は、図３に示すように、ハンドル２０ａを有するリール本体２０と、リール本体２０に回転自在に装着されたスプール２１と、スプール２１内に収納されたモータ２２とを備えている。リール本体２０の上部には、リール表示部２３を有するカウンター２４が搭載されている。また、リール本体２０の前側部には、スプール２１を可変に回転させるための変速レバー２６が、後側部にはクラッチをオンオフ操作するためのクラッチ操作レバー２７がそれぞれ揺動自在に装着されている。変速レバー２６には揺動角度を検出するためのポテンショメータ３６（図１）が連結されており、ポテンショメータ３６で検出された揺動角度に応じて３０段階でモータ２２が制御される。
【００１６】
カウンター２４には、リール表示部２３の右側に上下に並べて配置された２つのボタン３１，３２と、リール表示部２３の下方に左右に並べて配置された２つのボタン３３，３４とを有する操作キー部３５が配置されている。メモボタン３１は、棚位置や底位置をセットするためのボタンである。速巻ボタン３２は、仕掛けを回収する際などにスプール２１を最高速で回転させるボタンである。メニューボタン３３は、メニュー処理時に各種の項目の選択に使用されるボタンである。決定ボタン３４は選択された項目を決定するためのボタンである。リール表示部２３は、７セグメントの数値表示を含むセグメント方式の液晶ディスプレイを用いており、そこには、図３に示すように、仕掛けの水深や棚位置や底位置や各種のモード（棚停止モード、底から表示モード、糸送りモード、さそいモード）を示す文字等が表示される。このうち、さそいの文字は、電動リール１０と魚探モニタ６０とが電源コード１３により接続され通信可能な状態になると、点灯される。これにより、電動リール１０と魚探モニタ６０とが通信可能になったことを瞬時に確認できる。
【００１７】
カウンター２５の内部には、図１に示すように、水深表示制御やモータ駆動制御等を行うＣＰＵ、ＲＡＭ、ＲＯＭ、Ｉ／Ｏインターフェイス等を含むマイクロコンピュータや液晶駆動回路からなるリール制御部３０が設けられている。リール制御部３０には、操作キー部３５の４つのボタン３１〜３５、スプール２１の回転位置及び方向を検出するためのスプールセンサ４１、スプールセンサ４１からの所定パルス毎に値が変化するスプールカウンタ４２及びポテンショメータ３６が接続されている。また、リール制御部３０には、各種の警報を出力するためのブザー４３、各種の表示を行うためのリール表示部２３、各種のデータを記憶する記憶部４５、モータ２２をＰＷＭ駆動するＦＥＴを含むＰＷＭ駆動回路４４、及び他の入出力部が接続されている。さらに、リール制御部３０には、魚探モニタ６０と情報をやり取りする情報通信部４６が接続されている。情報通信部４６は、電源コード１３を介した有線通信によって、魚探モニタ６０に設けられた情報通信部６４に接続されている。
【００１８】
リール制御部３０は、ポテンショメータ３６の出力に応じて、たとえば３０段階でモータ２２を制御する。具体的には、３０段階のうち、たとえば始めの４段階ではスプール２１の回転速度が段階的に大きくなるようにスプールセンサ４１の出力を参照してフィードバック速度制御する。残りの２６段階では、段階毎に大きくなりかつ糸巻径に応じて補正されたデューティ比でモータ２２を制御する。これにより、スピードが遅い始めの４段階で速度制御することにより高負荷が作用してもスプール２１が回転停止しない。またそれ以後の残りの２６段階では、段階毎に糸巻径により補正された一定のデューティ比で制御するので、スプール２１に作用する張力がほぼ一定になり、ハリス切れなどが生じにくくなる。なお、最大段階でもデューティ比は１００％になることはない。これにより、モータ２２の過熱による不具合を未然に防止できる。
【００１９】
記憶部４５には、スプールカウンタ４２の計数値と各種の釣り糸における仕掛けの水深データに換算するための複数のマップデータが格納される。この複数のマープデータは、糸径や糸巻径に応じて計数値と水深データとが変化することを考慮している。そのサイズの電動リール１０でよく使用される複数の釣り糸については予めマップデータが記憶部４５に記憶されている。また、予め記憶されていない釣り糸については学習によりマップデータを作成して記憶部４５に記憶するようになっている。
【００２０】
リール制御部３０は、スプールカウンタ４２から計数値が出力されると、それをもとに記憶部４５に格納された複数のマップデータのなかから選択された釣り糸のマップデータに基づいて表示用の仕掛けの水深データを算出し、算出された水深データをリール表示部２３に表示させる。また、魚群モニタ６０が接続されている場合には、仕掛けの水深データを含む各種の情報を情報通信部４６及び電源コード１３の通信線を介して魚群モニタ６０の情報通信部６４に出力する。
【００２１】
魚探モニタ６０は、魚群探知機８０から得られる漁場の底の水深（第２水深データの一例）や魚群の位置を示す棚位置（第３水深データの一例）をエコー表示可能であるとともに、電動リール１０から得られる仕掛けの水深データ（第１水深データの一例）をエコー表示された底の水深や棚位置とともに水深に応じた位置に図形により表示することができる。また、魚探モニタ６０は、棚停止のオンオフや棚位置の設定、さそいモードのオンオフやさそい幅の設定、オートさそいのオンオフ、モータの糸繰り出し方向の回転により釣り糸を繰り出す糸送りのオンオフ、アタリ検知のオンオフ等の電動リール１０に関する設定操作を行うことができる。なお、魚探モニタ６０は、電動リール１０と接続しないで単独使用することもできる。この場合は、魚群探知機８０からの棚位置や底位置を表示する魚群探知機８０の遠隔モニタとして機能する。
【００２２】
魚探モニタ６０は、図４に示すように、ケース５０と、ケース５０に装着された、たとえば液晶ディスプレイを含むモニタ表示部５１と、ケース５０から露出してモニタ表示部５１の右側に上下に配置された５つのボタン５２〜５６を含む操作キー部６２とを有している。
【００２３】
魚探モニタ６０には、図２に示すように、取付ブラケット９０が装着されている。魚探モニタ６０を竿受けＲＫとともに船縁ＦＢに装着する場合は、取付ブラケット９０を固定台座１００に装着する。固定台座１００は、竿受けＲＫの万力１０１を利用して船縁ＦＢに固定される。また、ジギングのように竿受けを使用しない釣りを行う場合、専用の万力（図示せず）に取付ブラケット９０を直接装着することも可能である。さらに、釣り船に予めねじ止め可能な台座が、たとえば船べりに取り付けられている場合には、その台座に取付ブラケット９０を直接取り付けることができる。
【００２４】
ケース５０は、図４〜図６に示すように、四辺が円形に丸められた表示部５０ａと表示部５０ａの奥側に設けられたボックス部５０ｂとを有している。ボックス部５０ｂの両側面には、図５に示すように、ねじ孔５７ｃを有する１対の取付部５７ａ，５７ｂが上下に間隔を隔てて配置されている。この上下の取付部５７ａ，５７ｂのいずれかに取付ブラケット９０がねじ部材９１（図２）により装着され、取付ブラケット９０に魚探モニタ６０が装着される。
【００２５】
ボックス部５０ａの背面には、図６に示すように、凹部５９が形成されており、凹部５９には、上下に並べて２つのねじ込み式のコンセント部５９ａが装着されている。コンセント部５９ａには、魚探モニタ６０を電動リール１０と連動して使用するための電源コード１３が接続可能である。したがって、コンセント部５９ａには２本の電源端子５９ｂに加えて電動リール１０とデータを送信及び受信するため通信線が接続されるそれぞれ２本の通信端子５９ｃ，５９ｄが設けられている。なお、送信用及び受信用のそれぞれ２本の通信端子５９ｃ，５９ｄのうちそれぞれ１本は接地端子である。また、それぞれのコンセント部５９ａには、電源コードの接続間違いを防止するための周方向の位置決め突起５９ｅが設けられている。
【００２６】
操作キー部６２の画面切換ボタン５２は、モニタ表示部５１の表示をメニュー表示と魚探表示とに切り換えるボタンである。カーソルボタン５３は、魚探モニタ６０や電動リール１０の各種の設定を行うメニュー処理において上下左右にカーソルを移動させるためのボタンである。決定ボタン５４は、各種の設定の際に設定された項目を決定するためのボタンである。さそいオンオフボタン５５は、さそい動作を開始する際に使用されるボタンである。オンオフボタン５６は、表示をオンオフするためのボタンである。
【００２７】
ケース５０の内部には、図１に示すように、表示制御やさそい制御を行うＣＰＵ、ＲＡＭ、ＲＯＭ、Ｉ／Ｏインターフェイス等を含むマイクロコンピュータや液晶駆動回路からなる情報表示制御部６１が設けられている。情報表示制御部６１には、魚群探知機８０及び電動リール１０と情報をやり取りするための情報通信部６４、操作キー部６２の５つのボタン５２〜５６、各種の表示を行うためのモニタ表示部５１、各種のデータを記憶する記憶部６３、及び他の入出力部が接続されている。
【００２８】
モニタ表示部５１は、たとえば、縦３２０ドット、横２４０ドットのモノクロ４階調のドットマトリックス方式の液晶ディスプレイを用いている。
【００２９】
情報表示制御部６１は、電動リール１０から仕掛けの水深データが得られると、それを図形でモニタ表示部５１に表示するとともに、魚群探知機８０から漁場の底位置のエコーデータ、底位置の数値データ及び棚位置のエコーデータを取得すると、それをモニタ表示部５１に仕掛けの水深データとともに表示する。また、メニュー操作により電動リール１０の各種の設定及びさそいモード時のモータ２２の制御を行うこともできる。
【００３０】
次に、情報表示部６１の具体的な制御内容について、図７〜図９に示す制御フローチャート及び図１０以降に示す表示画面に基づいて説明する。なお、以降の説明では魚探モニタ６０に電動リール１０が接続されている場合を説明する。
【００３１】
魚探モニタ６０に電源コード１３が接続されると、図７のステップＳ１で初期設定がなされる。この初期設定処理では、続く表示処理で表示モードがオープニング画面を表示するように設定される。また、仕掛けの水深データＤ１の補正計数Ｋが１にセットされる。ステップＳ２では、魚群探知機８０からの魚探データ（具体的には、釣り場の海底の水深及び棚位置のエコーデータＤ２，Ｄ３）が受信しているか否かを判断する。魚探データを受信できない場合は受信できるまで待機する。魚探データを受信している場合は、ステップＳ３に移行して、受信した魚探データＤ２〜Ｄ４を取り込み、記憶部６１に格納する。ステップＳ４では、電動リール１０が接続されているか否かを判断する。電動リール１０が接続されていない場合は、ステップＳ５に移行し、電動リール１０が接続されていないことを示すフラグＮＣをオンする。電動リール１０が接続されている場合は、ステップＳ４からステップＳ６に移行してフラグＮＣをオフする。ステップＳ７では、電動リール１０から送信される仕掛けの水深データＤ１を取り込む。
【００３２】
ステップＳ８では、後述する表示処理を行う。この表示処理では、オープニング画面に加えて電動リール１０から得られた水深データや魚群探知機８０からの魚探データを表示する魚探画面と、各種の設定を行うメニュー画面とに切り換わる。ステップＳ９では、操作キー部６２が操作されたか否かを判断する。ステップＳ１０では、電動リール１０に送信する送信要求があったか否かを判断する。ステップＳ１０ステップＳ４では、たとえば、隠しコマンドによるメンテナンス処理などのその他の処理が選択されたか否かを判断し、その判断が「Ｎｏ」の場合、ステップＳ２に戻る。操作キー部６２が操作された場合は、ステップＳ９からステップＳ１２に移行し、後述するキー入力処理を行う。送信要求があった場合は、ステップＳ１０からステップＳ１３に移行し、後述するメニュー処理で設定された設定データを情報通信部６４を介して電動リール１０に送信する。他の処理が選択されるとステップＳ１１からステップＳ１４に移行し、指定された他の処理を実行し、ステップＳ２に戻る。
【００３３】
ステップＳ８の表示処理では、オープニング画面か設定されたか否かを図８のステップＳ２１で判断する。このオープニング画面は電源コード１３が接続されて電源が投入されると一度だけ表示される。ステップＳ２２では、画面切換ボタン５２によりメニュー画面が設定されたか否かを判断する。ステップＳ２３では、画面切換ボタン５２により魚探画面が選択されたか否かを判断し、魚段画面が設定されていない場合は、図７に示すメインルーチンに戻る。
【００３４】
オープニング画面が設定されている場合には、ステップＳ２１からステップＳ２５に移行してオープニング画面を表示する。メニュー画面が設定されている場合は、ステップＳ２２からステップＳ２３に移行する。ステップＳ２３では、図１０に示すメニュー画面７０を表示する。このメニュー画面７０では、画面の左上に魚群探知機８０から出力される電波の受信状態７１を表示する。なお、この電波の受信状態７１は、アンテナマーク７１ａと３本線７１ｂとで表示され、この表示は全ての表示モードで表示される。その下には、電動リール１０の各種のモードの設定項目７２（具体的には、棚停止、さそい、さそい幅、オートさそい、糸送り、上底切替及びアタリ検知）及びその設定内容７３並びに魚探モニタ６０のモードの設定項目７４（具体的には位置補正、シカケ軌跡、デモ画面、コントラスト及びバックライト）及びその設定内容７５が階層的にメニュー表示されている。電動リール１０の設定内容は、電動リール１０で設定された場合には、そのデータを受信してその内容がメニュー画面の設定内容に反映されるようになっている。これらの設定項目及び設定内容は、カーソルボタン５３により選択され、決定ボタン５４により設定内容が確定する。
【００３５】
ここで、位置補正は、電動リールから得られた仕掛けの水深データを補正したいときに設定される。また、シカケ軌跡は、仕掛けの水深データの時系列的な変化の軌跡を表示したいときに設定される。
【００３６】
魚探画面が設定されている場合には、ステップＳ２３からステップＳ２７に移行する。ステップＳ２７では、フラグＮＣにより電動リール１０が接続されているか否かを判断する。電動リール１０が接続されている場合には、ステップＳ２７からステップＳ２８に移行する。ステップＳ２８では、図１１示すような魚探画面を表示する。ステップＳ２８では、画面の右端に水深のスケールＳＣを表示するとともに、スケールＳＣの右横に、電動リール１０から得られた仕掛けの水深データＤ１に補正係数Ｋを乗算した値（Ｋ×Ｄ1）を、たとえば、仕掛けをシンボル化した針の図形で水深に応じた位置に表示する。なお、この実施形態では、補正前は補正係数が１にセットされているので補正前の水深データを表示していることになるが、補正を行う前は仕掛けの水深データＤをそのまま表示し、補正を行った後は補正された水深データＫ×Ｄ1を表示するようにしてもよい。
【００３７】
また、魚群探知機８０から受信した海底の水深データＤ２及び棚位置の水深データＤ３をエコーデータの画像でスケールＳＣの左側の水深に応じた位置に時系列的に表示する。さらに、海底の水深データＤ２の数値Ｄ２ｎを画面左下に表示するとともに、画面の左上に水深データＤ１の数値Ｄ１ｎも表示する。さらに、棚タイマー（棚位置を自動設定するために設定される仕掛けの静止時間）の値も数値Ｄ１ｎの下に表示される。
【００３８】
ステップＳ２９では、メニュー画面と同様に魚群探知機８０からの電波の受信状態７１をアンテナマーク７１ａと３本線７１ｂとで画面の左上部に表示する。ステップＳ３０では、仕掛けの軌跡の表示設定がオンになっているか否かを判断する。この設定は、シカケ軌跡がオンになっているか否かにより判断する。シカケ軌跡表示がオンになっている場合にはステップＳ３１に移行する。ステップＳ３１では、図１２に示すように仕掛けの水深データＤ１の時系列的な変化である仕掛けの軌跡ＴＲをドット表示する。ステップＳ３２では、さそいモードのさそい幅をスケールＳＣの右側にハッチングで示すように表示する。この表示はさそいモードがオフの場合は表示されない。ステップＳ３３では、その他の表示をおこなう。ここでは、たとえば、図１３に示すように、操作の説明文７６などを魚探画面中に貼り付け表示する。これにより、情報が魚探画面に埋もれることなく表示され、操作者が操作の意味を即座に理解することができるので、初めて使う使用者も安心して操作を行うことができる。
【００３９】
このような魚探画面では、仕掛けの水深データＤ１が図形で海底の水深データＤ２及び棚位置の水深データＤ３とともに表示されるので、棚に対する仕掛けの位置を瞬時に判断でき、さそいをかけるタイミングを確実に判断できる。
【００４０】
図７のステップＳ９において、操作キー部６２のいずれかのボタンが操作されるとステップＳ９からステップＳ１２に移行して図９に示すキー入力処理を実行する。キー入力処理では、図９のステップＳ４１で画面切換ボタン５２が操作されたか否かを判断する。ステップＳ４２では、カーソルボタン５３が操作されたか否かを判断する。ステップＳ５３では決定ボタン５４が操作されたか否かを判断する。ステップＳ４では、さそいオンオフボタン５５が操作されたか否かを判断する。ステップＳ４５ではオンオフボタン５６が操作されたか否かを判断する。
【００４１】
画面切換ボタン５２が操作されると、ステップＳ４１からステップＳ５０に移行する。なお、ステップＳ５０には記載していないが、電動リール１０のモータ２２が回転している場合は、この画面切換ボタン５２のキー入力は無効になる。これは巻き上げ中は、画面を切り換えできないようにするためである。ステップＳ５０では、オープニング画面が設定されているか否かを判断する。オープニング画面が設定されている場合はステップＳ５１に移行して表示モードをメニュー画面に設定する。これによりステップＳ８の表示処理でメニュー画面が表示される。オープニング画面が設定されていない場合には、ステップＳ５２に移行してメニュー画面が設定されているか否かを判断する。メニュー画面が設定されている場合にはステップＳ５３に移行して表示モードを魚探画面に設定する。これによりステップＳ８の表示処理で魚探画面が表示される。メニュー画面が設定されていない場合には、表示モードをメニュー画面に設定する。これらの処理が終わるとステップＳ４２に移行する。
【００４２】
カーソルボタン５３が操作されるとステップＳ４２からステップＳ５５に移行する。ステップＳ５５では、操作されたカーソルの方向に応じてメニュー画面において設定項目や設定内容でカーソルをひとつずつ移動させる。
【００４３】
決定ボタン５４が操作されるとステップＳ４３からステップＳ５６に移行する。ステップＳ５６では、魚探画面か否かが判断される。魚探画面であると判断するとステップＳ５７に移行する。ステップＳ５７では、位置補正が設定されている（オンされている）か否かを判断する。位置補正が設定されている場合には、ステップＳ５８に移行して位置補正を行う。ここでは、魚探画面のときに決定ボタン５４を操作すると補正開始信号が出力されて補正処理が行われる。
【００４４】
通常、この操作は、釣り人が仕掛けを底まで下ろす底取りをしたときに、図１４に示すように、仕掛けの水深データＤ１が実際の海底データＤ２と大きく変化して表示に矛盾が生じた場合に行われる。図１４に示す例では実際の海底の水深は７３メートルであるのに対して、海流などの影響により仕掛けが回転に到達したときに釣り糸は８５ｍ繰り出されたことを示している。このような状況で釣り人が決定ボタン５４を操作すると、ステップＳ５６を経由してステップＳ５７に移行し、このタイミングで受信した実際の海底の水深データＤ２を仕掛けの水深データＤ１で除算して補正係数Ｋを算出する。この補正係数Ｋが表示処理で水深データＤ１に乗算される。たとえば、図１４に示す例では、補正係数が７３／８５になり、仕掛けの水深データＤ１は、その後は次の補正処理が行われるまでこの補正係数Ｋを乗算して表示される。この結果、図形表示された水深データＤ１や数値表示のデータＤ１ｎが補正されて補正水深データ（＝７３ｍ）になる。なお、電源コード１３が抜かれて電源が遮断されると補正係数は初期設定で１にセットされる。また、電動リール１０側ではこのような補正処理は行われない。これは、電動リール１０でこのような補正を行うと、釣り糸を巻き取る際に船縁停止位置などが補正分だけずれるからである。したがって、この補正はあくまでも魚探モニタ６０だけで行われる。
【００４５】
ステップＳ５６で位置補正がオフしていると判断すると、ステップＳ４４に移行する。魚探画面ではないと判断すると、ステップＳ５６からステップＳ５９に移行する。ステップＳ５９ではカーソルで選択された設定項目の内容を決定して記憶部４５にセットする。ステップＳ６０では設定項目が電動リール１０に関するものか否か、つまり電動リール１０に送信する必要があるか否かを判断する。送信する必要がある場合は、決定された設定を送信するような送信要求を出力する。これにより、ステップＳ１３で電動リール１０に設定データが送信される。
【００４６】
さそいオンオフボタン５５が操作されるとステップＳ４からステップＳ６２に移行する。ステップＳ６２では、モータ２２を設定されたさそい幅でオンオフするような送信要求を出力する。
【００４７】
オンオフボタン５６が操作されるとステップＳ４５からステップＳ６３に移行する。ステップＳ６３では、モニタ表示部５１がオンしているか否かを判断する。モニタ表示部５１がまだオンしていない場合には、ステップＳ６４に移行してモニタ表示部５１をオンする。モニタ表示部５１がすでにオンしている場合にはステップＳ６５に移行してモニタ表示部５１をオフする。
【００４８】
ここでは、電動リール１０から得られる仕掛けの水深データＤ１と魚群探知機８０から得られる比較的正確な海底の水深データＤ２とに基づいて表示する水深データを補正でき、補正第１水深データをモニタ表示部５１に表示するので、釣り糸が潮の流れにより湾曲しても仕掛けの水深をより正確に表示できる。また、仕掛けの位置を示す第１水深データＤ１や底位置を示す第２水深データＤ２が数値ではなく図形で水深に応じた位置に表示されるので、仕掛けの位置と底の位置との位置関係を瞬時に把握できるようになる。さらに、魚群探知機８０から出力された棚位置を示す第３水深データＤ３も第１及び第２水深データＤ１，Ｄ２とともに水深に応じた位置に表示されるので、棚位置が時々刻々と変化しても棚位置を正確に把握できるとともに、仕掛けと棚位置との関係が図形生じされているので、仕掛けが正確に棚位置に配置されているかが一目瞭然となる。
【００４９】
〔他の実施形態〕
（ａ）前記実施形態では、針をシンボル化した図形で仕掛けを示したが、図形の形は前記実施形態に限定されない。たとえば、単に丸や四角の図形で表示してもよい。
【００５０】
（ｂ）前記実施形態では、仕掛けの位置をスケールＳＣの右横に表示したが、左横に表示してもよい。
【００５１】
（ｃ）前記実施形態では、決定ボタンの操作により位置補正を行うようにしたが、補正開始手段の構成は前記実施形態のように手動操作に限定されない。たとえば、第１水深データの増減を監視し、ある間隔で一番深い第１水深データを電動リール１０側の海底と認識し、それと第２水深データとを比較して、所定以上両者の値がずれている場合に自動的に補正開始信号を出力して補正を行うようにしてもよい。
【図面の簡単な説明】
【００５２】
【図１】本発明の一実施形態を採用した釣り情報表示システムのブロック図。
【図２】電動リールと魚探モニタとの接続例を示す斜視図。
【図３】魚探モニタに接続可能な電動リールの平面図。
【図４】魚探モニタの正面図。
【図５】魚探モニタの側面図。
【図６】魚探モニタの背面図。
【図７】情報表示制御部のメインルーチンの制御内容を示すフローチャート。
【図８】表示処理サブルーチンの制御フローチャート。
【図９】キー入力サブルーチンの制御フローチャート。
【図１０】メニュー画面の一例を示す図。
【図１１】魚探画面の一例を示す図。
【図１２】魚探画面の一例を示す図。
【図１３】魚探画面の一例を示す図。
【図１４】魚探画面の一例を示す図。
【符号の説明】
【００５３】
１０  電動リール
５１  モニタ表示部
５４  決定ボタン
６０  魚探モニタ
６１  情報表示制御部
８０  魚群探知機
Ｄ１  第１水深データ
Ｄ２  第２水深データ
Ｄ３  第３水深データ
【図１】
0004638668.tif 000002
【図２】
0004638668.tif 000003
【図３】
0004638668.tif 000004
【図４】
0004638668.tif 000005
【図５】
0004638668.tif 000006
【図６】
0004638668.tif 000007
【図７】
0004638668.tif 000008
【図８】
0004638668.tif 000009
【図９】
0004638668.tif 000010
【図１０】
0004638668.tif 000011
【図１１】
0004638668.tif 000012
【図１２】
0004638668.tif 000013
【図１３】
0004638668.tif 000014
【図１４】
0004638668.tif 000015